(57)【特許請求の範囲】
【請求項１】
本体（１１）と、
前記本体近傍に配置される発光部（２２）と、
前記発光部が固定されており前記本体に対向するように配置されるカバー本体（３１）、を有するカバー（３０）と、
凸部（４６）と、前記発光部の光を透過可能な透過部（４７）とを有し、前記本体を覆うように取り付けられるケーシング（４０ａ）と、
を備え、
前記カバー本体には、前記凸部に嵌合する凹部（３６）が設けられており、
前記本体又は前記カバーは、前記本体に前記カバー本体を弾性支持させるための弾性部（１４，３２）を有し、
前記弾性部は、前記凸部が前記凹部に嵌合され、かつ前記ケーシングが前記本体に取り付けられて前記本体に対する前記ケーシングの取り付け方向である前後方向（Ｚ）に交差する方向である上下方向（Ｙ）および左右方向（Ｘ）に前記カバー本体が前記本体に対して移動するときに、前記カバー本体が前記ケーシングに対して所定位置に配置されるように弾性変形し、
前記発光部は、前記カバー本体が前記所定位置に配置されることで、前記透過部と対向する位置に配置される、
空調室内機（１）。
【請求項２】
前記弾性部は、前記カバー本体が前記本体に対して上下方向（Ｙ）に移動するときに弾性変形する第１弾性部材（１５）と、前記カバー本体が前記本体に対して左右方向（Ｘ）に移動するときに弾性変形する第２弾性部材（３７）と、を含み、
前記本体は、前記第１弾性部材および前記第２弾性部材の一方を有し、
前記カバーは、前記第１弾性部材および前記第２弾性部材の他方を有する、
請求項１に記載の空調室内機。
【請求項３】
前記第２弾性部材は、爪部（３８）を含み、
前記第１弾性部材は、前記爪部が係止する開口部（１６）を含み、
前記開口部に形成されている開口（１６ａ）の前後方向（Ｚ）の寸法は、前記爪部の前後方向（Ｚ）の寸法よりも大きい、
請求項２に記載の空調室内機。
【請求項４】
前記カバーは、前記ケーシングが前記本体に取り付けられる向き（Ｂ）と反対向き（Ａ）に前記カバー本体を付勢する付勢部（３３）を更に有する、
請求項１〜３のいずれか１項に記載の空調室内機。
【発明の詳細な説明】
【技術分野】
【０００１】
本発明は、空調室内機に関する。
【背景技術】
【０００２】
従来より、空調室内機には、運転状態等を報知するための表示部を備えるものがある。また、表示部には、発光部と発光部の光を透過可能な透過部とを有しており、発光部が透過部に対向するように配置されているものがある。さらに、このような表示部には、発光部が空調室内機の内部を構成する本体側に配置されており、透過部が空調室内機の外郭を構成するケーシング側に配置されているものもある。このような構成の表示部では、発光部からの光が透過部を介して室内に透過することで、室内に居るユーザに対して運転状態等が報知される。ただし、透過部に対する発光部の位置がずれて配置されている場合には、発光部からの光が室内に透過し難くなる。
【０００３】
そこで、特許文献１（特開２００２−８９８７６号公報）に開示されている空気調和機の室内機（空調室内機に相当）では、オープンパネル（ケーシングに相当）に設けられた表示パネル（透過部に相当）に、表示燈（発光部に相当）を搭載した電装基板が取り付けられている。この室内機では、表示パネルに電装基板を直接取り付けることで、表示パネルに対する表示燈の位置ずれを防止している。
【発明の概要】
【発明が解決しようとする課題】
【０００４】
ところで、発光部を透過部に取り付けられないような場合には、例えば、ケーシングに凸部を設け、本体に凹部を設けて、凸部を凹部に嵌合させることで、透過部に対する発光部の位置を設定することが考えられる。しかしながら、発光部の位置を設定可能なように凸部や凹部を設けたとしても、部材の個体差によって、本体に対するケーシングの位置が所望の位置からずれることで、凹部と凸部とが嵌合しなくなることもある。
【０００５】
そこで、本発明の課題は、部材の個体差があっても、透過部に対する発光部の位置がずれるおそれを低減することができる空調室内機を提供することにある。
【課題を解決するための手段】
【０００６】
本発明の第１観点に係る空調室内機は、本体と、発光部と、カバーと、ケーシングと、を備える。発光部は、本体近傍に配置される。カバーは、カバー本体を有する。カバー本体には、発光部が固定されている。また、カバー本体は、本体に対向するように配置される。ケーシングは、凸部と、透過部とを有する。透過部は、発光部の光を透過可能である。また、ケーシングは、本体を覆うように取り付けられる。カバー本体には、凸部に嵌合する凹部が設けられている。本体又はカバーは、本体にカバー本体を弾性支持させるための弾性部を有する。弾性部は、凸部が凹部に勘合され、かつケーシングが本体に取り付けられてカバー本体が本体に対して上下方向および左右方向に移動するときに、カバー本体がケーシングに対して所定位置に配置されるように弾性変形する。上下方向および左右方向とは、本体に対するケーシングの取り付け方向である前後方向に交差する方向である。また、発光部は、カバー本体が前記所定位置に配置されることで、透過部と対向する位置に配置される。
【０００７】
本発明の第１観点に係る空調室内機では、ケーシングが本体に取り付けられた時に、カバー本体がケーシングに対して所定位置に配置されるように弾性部が弾性変形する。このため、ケーシングが本体に取り付けられた時に、本体に対するケーシングの位置が所望の位置からずれていても、カバー本体を所定位置に配置することができる。カバー本体が所定位置に配置されることで発光部が透過部に対向する位置に配置されるため、部材の個体差があっても、透過部に対する発光部の位置がずれるおそれを低減することができる。
【０００８】
また、この空調室内機では、弾性部が弾性変形を許容することで、カバー本体は本体に対して上下方向および左右方向に移動することができる。このため、カバー本体がケーシングに対して所定位置に配置されやすくなっている。
【０００９】
本発明の第２観点に係る空調室内機は、本発明の第１観点の空調室内機であって、弾性部は、第１弾性部材と、第２弾性部材と、を含む。第１弾性部材は、カバー本体が本体に対して上下方向に移動するときに弾性変形する。第２弾性部材は、カバー本体が本体に対して左右方向に移動するときに弾性変形する。また、本体は、第１弾性部材および第２弾性部材の一方を有する。また、カバーは、第１弾性部材および第２弾性部材の他方を有する。
【００１０】
本発明の第２観点に係る空調室内機では、例えば、本体が第１弾性部材を有する場合には、カバーは第２弾性部材を有する。また、例えば、本体が第２弾性部材を有する場合には、カバーは第１弾性部材を有する。このため、この空調室内機では、本体およびカバーが、カバー本体が本体に対して上下方向あるいは左右方向に移動するときに弾性変形する部材を有している。
【００１１】
本発明の第３観点に係る空調室内機は、本発明の第２観点の空調室内機であって、第２弾性部材は、爪部を含む。また、第１弾性部材は、爪部が係止する開口部を含む。さらに、開口部に形成されている開口の前後方向の寸法は、爪部の前後方向の寸法よりも大きい。開口の寸法が爪部の前後方向の寸法よりも大きいため、爪部の前後方向への移動が許容される。したがって、第２弾性部材を弾性変形させずに、カバー本体を本体に対して前後方向に移動させることができる。
【００１２】
本発明の第４観点に係る空調室内機は、本発明の第１観点〜第３観点のいずれかの空調室内機であって、カバーは、付勢部を更に有する。付勢部は、ケーシングが本体に取り付けられる向きと反対向きにカバー本体を付勢する。このため、例えば、付勢部がカバー本体を付勢する向きにカバー本体をケーシングに対して所定位置に配置するための位置決め用の嵌合部が配置されている場合には、カバー本体が付勢部によって付勢されることで、カバー本体が嵌合部に嵌合しないおそれを低減することができる。
【００１３】
これによって、カバー本体がケーシングに対して所定位置に配置されやすくすることができる。
【発明の効果】
【００１４】
本発明の第１観点に係る空調室内機では、部材の個体差があっても、透過部に対する発光部の位置がずれるおそれを低減することができる。
【００１５】
本発明の第２観点に係る空調室内機では、本体およびカバーのそれぞれが、第１弾性部材あるいは第２弾性部材を有する。
【００１６】
本発明の第３観点に係る空調室内機では、第２弾性部材を弾性変形させずに、カバー本体を本体に対して前後方向に移動させることができる。
【００１７】
本発明の第４観点に係る空調室内機では、カバー本体がケーシングに対して所定位置に配置されやすくすることができる。
【図面の簡単な説明】
【００１８】
【図１】空調室内機の外観斜視図。
【図２】電装品ユニットがケーシング本体に取り付けられる様子を示す図。
【図３】左上方から視た場合の電装品ユニットの斜視図。
【図４】電装品ユニットの右側面図。
【図５】右上方から視た場合の電装品ユニットの斜視図。
【図６】カバーの斜視図。
【図７】開口部に爪部が係止された状態の第１弾性部材および第２弾性部材の縦断面図。
【発明を実施するための形態】
【００１９】
以下に、本発明の実施形態に係る空調室内機１を備える空気調和機について説明する。なお、以下の実施形態は、本発明の具体例であって、本発明の技術的範囲を限定するものではない。なお、本実施形態では、電装部１１を含む電装品ユニット６０に対するケーシング本体４０ａの取り付け方向を前後方向Ｚとする。また、ケーシング本体４０ａが電装部１１を含む電装品ユニット６０に取り付けられる向きを後向きＢとする。
【００２０】
（１）全体構成
空気調和機は、室内の壁面等に取り付けられる空調室内機１（図１参照）と、室外に配置される空調室外機（図示せず）とを備えている。
【００２１】
空気調和機は、リモートコントローラ（図示せず）からの制御信号（赤外線信号）を受信することで、制御信号に基づいた各種の運転を行ったり、機能を作動させたりする。空調室内機１の運転中および機能作動中には、後述するＬＥＤ２２が点灯する。室内に居るユーザは、後述するＬＥＤ２２および透過部４７を含む表示部４５を視認することで、空調室内機１が現在運転中であるか否か、あるいは、空調室内機１が機能作動中であるか否かを把握することができる。
【００２２】
（２）詳細構成
（２−１）空調室内機
空調室内機１は、図１および図２に示すように、本体１０と、発光部２０と、カバー３０と、ケーシング４０と、前面パネル５０と、を備えている。
【００２３】
以下、各部品の詳細構成について説明する。
【００２４】
（２−１−１）本体
本体１０は、主に、電装部１１と、熱交換器（図示せず）と、ファン（図示せず）とを有している。
【００２５】
電装部１１は、図２、図３、図４および図５に示すように、電装品箱１２と、固定部１３とを有している。電装品箱１２には、制御装置（図示せず）が内蔵されており、空調室内機１の冷房や暖房等の各種運転制御や、空調室内機１の運転状態等に応じた発光制御を行う。
【００２６】
固定部１３は、電装品箱１２を後述するケーシング本体４０ａに固定するための部材であって、電装品箱１２の前面および下面を覆うように配置される。また、電装品箱１２は固定部１３に固定されており、固定部１３がケーシング本体４０ａに固定されることで、電装部１１がケーシング本体４０ａに固定される。
【００２７】
固定部１３は、第１弾性部１４と、後面部１９と、を有している。第１弾性部１４は、電装部１１にカバー本体３１を弾性支持させるための第１弾性部材１５を含む。第１弾性部材１５は、電装品箱１２の下面を覆うことが可能な板状の部材である。また、第１弾性部材１５は、電装品箱１２が固定部１３に固定されたときに、電装品箱１２の下面と対向するように配置される。さらに、第１弾性部材１５は、後述するカバー３０の有する爪部３８が係止する開口部１６を含む。また、第１弾性部材１５には、上下方向Ｙに弾性変形可能なバネ構造が採用されている。具体的には、第１弾性部材１５には、第１弾性部材１５を湾曲させる遊間として機能するスリットＳが形成されている。このため、第１弾性部材１５は、スリットＳの幅が広がる方向にたわんで弾性変形することで湾曲する。また、後面部１９は、第１弾性部材１５の後側端部から下方に延びている。
【００２８】
（２−１−２）発光部
発光部２０は、電装品箱１２近傍に配置されている。具体的には、発光部２０は、図４に示すように、第１弾性部材１５の下面と対向するように配置されている。発光部２０は、電装品箱１２に内蔵されている制御装置によって制御される。
【００２９】
発光部２０は、基板２１と、ＬＥＤ２２と、受光素子２３と、を有している。ＬＥＤ２２および受光素子２３は、基板２１に実装されている。
【００３０】
ＬＥＤ２２は、空調室内機１の運転中に発光することで、空調室内機１が運転中であることを示す。また、ＬＥＤ２２は、人検知センサ２４が作動中に発光することで、人検知センサ２４が作動中であることを示す。ＬＥＤ２２は、上述した電装品箱１２の制御装置と接続されており、制御装置によって発光制御される。このため、ＬＥＤ２２は、運転状態等を、後述する透過部４７を介して表示できるようになっている。
【００３１】
受光素子２３は、リモートコントローラから送信される制御信号を受信する。受光素子２３は、後述する透過部４７を介して制御信号を受信する。
【００３２】
（２−１−３）カバー
カバー３０は、図４に示すように、発光部２０を挟んで、第１弾性部材１５の下面と対向するように配置される。また、カバー３０は、図６に示すように、カバー本体３１と、第２弾性部３２と、付勢部３３と、を備えている。
【００３３】
カバー本体３１は、遮光性樹脂を含有する材料で形成されている。また、カバー本体３１は、略長方形状の部材であって、第１弾性部材１５の下面に対向するように配置される。カバー本体３１は、ＬＥＤ２２の光を、後述する透過部４７に向けてガイドするための透光部３４を有している。透光部３４には、カバー本体３１を厚さ方向（上下方向Ｙ）に貫通する開口３５が形成されている。また、発光部２０は、透光部３４に設けられている開口３５と発光部２０の有するＬＥＤ２２とがそれぞれ対向するように、カバー本体３１の上面に固定されている。
【００３４】
また、カバー本体３１の前部には、カバー本体３１をケーシング本体４０ａの所定位置に配置させるための位置決め用の凹部３６が形成されている。
【００３５】
第２弾性部３２は、電装部１１にカバー本体３１を弾性支持させるための第２弾性部材３７を有する。第２弾性部材３７は、板状の部材であって、カバー本体３１の左右両側端部から上方に立設されている。また、第２弾性部材３７は、左右方向Ｘにたわんで弾性変形することができる。このため、第２弾性部材３７が弾性変形を許容することで、カバー本体３１を電装部１１に対して左右方向Ｘに移動させることができる。これにより、第２弾性部材３７は、ケーシング本体４０ａが電装部１１に固定された時に、カバー本体３１がケーシング本体４０ａに対して所定位置に配置されるように弾性変形することができる。
【００３６】
さらに、第２弾性部材３７は、爪部３８を含む。爪部３８は、第２弾性部材３７の上端から連続して形成されている。また、上述のように、爪部３８は、第１弾性部材１５の有する開口部１６に係止される。さらに、図７に示すように、爪部３８の前後方向Ｚの寸法Ｌ１は、開口部１６に形成されている開口１６ａの寸法Ｌ２よりも小さい。このため、第２弾性部３２は、開口部１６に係止された状態を維持しながら、前後方向Ｚに移動することができる。なお、以下より、説明の便宜上、カバー本体３１が電装部１１に支持された状態のカバー３０および電装部１１を電装品ユニット６０という。また、本実施形態では、電装部１１は、単体でケーシング本体４０ａに取り付けられるのではなく、電装品ユニット６０の状態でケーシング本体４０ａが取り付けられる。
【００３７】
付勢部３３は、電装品ユニット６０において、固定部１３の有する後面部１９と当接するようにカバー本体３１の後面側に配置されている。また、付勢部３３は、後面部１９と接触することで、カバー本体３１を前向きＡに付勢する。このため、カバー３０が電装部１１に取り付けられて電装品ユニット６０を構成した場合には、付勢部３３によって、カバー本体３１は電装部１１に対して前向きＡに付勢される。
【００３８】
（２−１−４）ケーシング
ケーシング４０は、本体１０等を覆うように配置される。言い換えると、ケーシング４０には、本体１０、発光部２０およびカバー３０等が収納される。
【００３９】
また、ケーシング４０は、後方が開口している略直方体形状の箱状のケーシング本体４０ａと、前記開口を覆うように設けられたケーシング後面部（図示せず）とを有する（図１参照）。ケーシング本体４０ａは、ケーシング上面４１、ケーシング前面４２、ケーシング側面４３、およびケーシング下面４４を有しており、これらが一体となって構成されている。また、ケーシング上面４１およびケーシング前面４２には、吸い込み口４１ａ，４２ａが形成されている。ケーシング前面４２およびケーシング下面４４には、吹き出し口４２ｂ，４４ｂが形成されている。さらに、ケーシング本体４０ａは、透過部４７と、凸部４６と、を含む。
【００４０】
透過部４７は、ケーシング下面４４に配置されている。また、透過部４７は、光透過性の樹脂を含有する材料で形成されており、ＬＥＤ２２の光を透過させる。さらに、透過部４７は、リモートコントローラから送信される制御信号を透過させる。透過部４７を透過した制御信号は、受光素子２３において受信される。電装品箱１２に収納されている制御装置は、受光素子２３において受信される信号に基づいて、各種空調制御、および、発光制御を行う。
【００４１】
凸部４６は、カバー本体３１の凹部３６と嵌合するように、ケーシング前面４２に配置されている。ケーシング本体４０ａの凸部４６と、カバー本体３１の凹部３６とが嵌合することで、カバー本体３１の移動が凸部４６によって規制され、カバー本体３１がケーシング本体４０ａに対して所定位置に配置される。また、カバー本体３１がケーシング本体４０ａに対して所定位置に配置されることで、カバー本体３１と一体的に動くＬＥＤ２２が透過部４７と対向する位置に配置される。
【００４２】
さらに、凸部４６は、基端から先端に向かって細くなるテーパ形状に形成されている。このため、ケーシング本体４０ａが電装品ユニット６０に取り付けられるときに、凹部３６が凸部４６によってガイドされるため、凸部４６が凹部３６に嵌合しやすくなっている。
【００４３】
（２−１−５）前面パネル
前面パネル５０は、ケーシング前面４２およびケーシング側面４３の前部を覆うことが可能である。また、前面パネル５０は、空調室内機１の運転状態に応じて、ケーシング４０に対する姿勢を変更する。空調室内機１が運転停止状態にある場合には、前面パネル５０は、ケーシング前面４２およびケーシング側面４３の前部を覆うように配置される。これにより、ケーシング前面４２に設けられている吸い込み口４２ａおよびケーシング前面４２に設けられている吹き出し口４２ｂが遮蔽される。また、空調室内機１が運転状態にある場合には、前面パネル５０は、前面パネル５０において正面側に位置する部分（以下、正面部という）の上辺が、正面部の下辺よりもケーシング前面４２から離れるように傾斜して配置される。これにより、ケーシング前面４２に設けられている吸い込み口４２ａおよびケーシング前面４２に設けられている吹き出し口４２ｂが開放される。
【００４４】
（３）電装品ユニットのケーシングへの取り付け作業
作業者は、透光部３４に設けられている開口３５と発光部２０の有するＬＥＤ２２とがそれぞれ対向するように、発光部２０をカバー本体３１の上面に固定する。これにより、カバー本体３１と発光部２０とが一体的に動くようになる。また、作業者は、電装品箱１２を固定部１３に固定して電装部１１を組み立てる。
【００４５】
次に、作業者は、爪部３８を第１弾性部材１５の有する開口部１６に係止させることで、電装部１１にカバー３０を取り付けて電装品ユニット６０を組み立てる。なお、電装品ユニット６０において、カバー本体３１は、第１弾性部１４および第２弾性部３２が弾性変形を許容することで、電装部１１に対して上下方向Ｙおよび左右方向Ｘに移動可能となる。また、電装品ユニット６０において、カバー本体３１は、爪部３８と開口部１６との寸法差により、電装部１１に対して前後方向Ｚに移動可能となる。さらに、電装品ユニット６０において、カバー本体３１は、付勢部３３によって前向きＡに付勢されている。
【００４６】
そして、作業者は、電装品ユニット６０の一部である固定部１３とケーシング本体４０ａとを固定することで、電装品ユニット６０にケーシング本体４０ａを取り付ける。なお、電装品ユニット６０にケーシング本体４０ａが取り付けられても、電装品ユニット６０の一部であるカバー本体３１は、上下方向Ｙ、左右方向Ｘおよび前後方向Ｚに移動可能である。また、電装品ユニット６０において、カバー本体３１は、付勢部３３によって前向きＡに付勢されている。このため、カバー本体３１の凹部３６とケーシング前面４２に設けられている凸部４６とが嵌合しやすくなっている。さらに、凸部４６が凹部３６に嵌合することで、カバー本体３１がケーシング本体４０ａに対して所定位置に配置される。このとき、発光部２０はカバー本体３１と一体的に動くため、カバー本体３１がケーシング本体４０ａに対して所定位置に配置されることで、発光部２０のＬＥＤ２２を透過部４７と対向する位置に配置することができる。
【００４７】
最後に、作業者は、電装品ユニット６０等が収容されたケーシング本体４０ａの後側に、ケーシング後面部を取り付けることで、電装品ユニット６０のケーシング４０への取り付け作業が終了する。
【００４８】
（４）特徴
（４−１）
上記実施形態では、カバー本体３１が電装部１１に対して上下方向Ｙおよび左右方向Ｘに移動可能なように、固定部１３の有する第１弾性部１４およびカバー３０の有する第２弾性部３２が弾性変形する。すなわち、第１弾性部１４および第２弾性部３２が弾性変形することで、カバー本体３１がケーシング本体４０ａに取り付けられた際のカバー本体３１の上下方向Ｙあるいは左右方向Ｘに加わる力を吸収する。カバー本体３１が電装部１１に対して上下方向Ｙおよび左右方向Ｘに移動可能であるため、ケーシング本体４０ａの凸部４６とカバー本体３１の凹部３６とを嵌合しやすくすることができる。したがって、例えば、ケーシング本体４０ａが電装品ユニット６０に取り付けられた時に、電装部１１の位置がケーシング本体４０ａにおける所望の位置からずれていても、カバー本体３１の位置をケーシング本体４０ａにおける所望の位置である所定位置に配置することができる。また、カバー本体３１がケーシング本体４０ａに対して所定位置に配置されることで、カバー本体３１と一体的に動くＬＥＤ２２が透過部４７と対向する位置に配置される。
【００４９】
これによって、製造時のバラツキによってケーシング本体４０ａや電装部１１に個体差があっても、透過部４７に対するＬＥＤ２２の位置がずれるおそれを低減することができている。
【００５０】
（４−２）
上記実施形態では、第１弾性部１４が弾性変形を許容することで、カバー本体３１が電装部１１に対して上下方向Ｙに移動することができる。また、第２弾性部３２が弾性変形を許容することで、カバー本体３１が電装部１１に対して左右方向Ｘに移動することができる。このように、カバー本体３１が電装部１１に対して上下方向Ｙおよび左右方向Ｘに移動可能であるため、カバー本体３１がケーシング本体４０ａに対して所定位置に配置されやすくなっている。
【００５１】
（４−３）
上記実施形態では、爪部３８の前後方向Ｚの寸法Ｌ１は、開口部１６に形成されている開口１６ａの寸法Ｌ２よりも小さい。このため、第２弾性部材３７が弾性変形しなくても、第２弾性部３２は、電装部１１に対して前後方向Ｚに移動することができる。
【００５２】
（４−４）
上記実施形態では、ケーシング本体４０ａが電装品ユニット６０に取り付けられる向きである後向きＢとは反対向きである前向きＡに、カバー本体３１が付勢部３３によって付勢されている。このため、ケーシング本体４０ａが電装品ユニット６０に取り付けられた時に、ケーシング本体４０ａの凸部４６がカバー本体３１の凹部３６に嵌合しやすくすることができている。また、凸部４６が凹部３６に嵌合しやすくすることができるため、透過部４７に対するＬＥＤ２２の位置がずれるおそれを低減することができている。
【００５３】
さらに、凸部４６や凹部３６が設けられることで、電装品ユニット６０にケーシング本体４０ａが取り付けられるときに、ケーシング本体４０ａに対するカバー本体３１の位置決めが容易になる。
【００５４】
（５）変形例
上記実施形態では、電装部１１およびカバー３０のそれぞれが、第１弾性部１４あるいは第２弾性部３２を有している。これに代えて、電装部およびカバーのいずれか一方のみが弾性部を有していてもよい。
【００５５】
また、上記実施形態では、固定部１３が第１弾性部１４を有しており、カバー３０が第２弾性部３２を有している。これに代えて、カバー本体が電装部に対して上下方向Ｙおよび左右方向Ｘに移動可能であれば、固定部が第２弾性部を有しており、カバーが第１弾性部を有していてもよい。
【産業上の利用可能性】
【００５６】
本発明は、部材の個体差があっても、透過部に対する発光部の位置がずれるおそれを低減することができるため、表示部を備える空調室内機への適用が有効である。
【符号の説明】
【００５７】
１      空調室内機
１１      電装部（本体）
１４      第１弾性部（弾性部）
１５      第１弾性部材
１６      開口部
１６ａ    開口
２２      ＬＥＤ（発光部）
３０      カバー
３１      カバー本体
３２      第２弾性部（弾性部）
３３      付勢部
３７      第２弾性部材
３８      爪部
４０ａ    ケーシング本体（ケーシング）
４７      透過部
【先行技術文献】
【特許文献】
【００５８】
【特許文献１】特開２００２−８９８７６号公報
【図１】
0005418247.tif 000002
【図２】
0005418247.tif 000003
【図３】
0005418247.tif 000004
【図４】
0005418247.tif 000005
【図５】
0005418247.tif 000006
【図６】
0005418247.tif 000007
【図７】
0005418247.tif 000008